(57)【特許請求の範囲】
【請求項１】
機器本体ケース内に、発光体が設けられた電気回路基板を備え、前記機器本体ケースが取付面に、前記電気回路基板が前記取付面と平行になるように取り付けられ、その取付状態で前記発光体の表示状態を確認するための窓部が前記機器本体ケースの下面部に位置する電子機器における防水カバー構造であって、
前記窓部に、透光可能な材料で形成され前記窓部を閉塞する防水カバー部材が設けられ、
前記防水カバー部材は、前記発光体からの光を反射屈折させて前記窓部を通じて外部に導くプリズム機能を発揮する部分を備えることを特徴とする電子機器における防水カバー構造。
【請求項２】
前記防水カバー部材は、前記機器本体ケースに取り付けられ前記窓部を閉塞する取付板部と、この取付板部にそれと直交する方向に延びるように連接され前記発光体からの光を反射屈折させて外部に導くプリズム部とを備えることを特徴とする請求項１記載の電子機器における防水カバー構造。
【請求項３】
前記プリズム部は、前記取付板部に直交する方向に延び一端部が前記取付板部に連接される中間板部と、この中間板部の他端部に連接され前記発光体からの光を受ける断面山形形状の先端板部とを備えることを特徴とする請求項２記載の電子機器における防水カバー構造。
【請求項４】
前記機器本体ケース内に機器ユニットが収納され、前記機器ユニットは、ユニットケース内の電気回路基板上に前記発光体が設けられ、前記ユニットケースに前記窓部に対応して開孔が形成されてなり、
前記防水カバー部材の先端板部が、前記ユニットケースの開孔を通じて前記ユニットケース内に挿入され、前記発光体付近あるいはそれを超えるまで延びていることを特徴とする請求項２または３記載の電子機器における防水カバー構造。
【請求項５】
前記先端板部は、前記発光体に対向する側に傾斜面部が形成され、
前記傾斜面部の傾斜角度は、前記防水カバー部材が設けられている一端部側とは反対側の前記ユニットケースの他端部を、前記一端部を回転中心として持ち上げて、前記機器本体ケースからの、前記機器ユニットの取り外しを許容する角度であることを特徴とする請求項４記載の電子機器における防水カバー構造。
【発明の詳細な説明】
【技術分野】
【０００１】
本発明は、発光体を内部に有する光受信機などの電子機器における防水カバー構造に関するものである。
【背景技術】
【０００２】
従来、電子回路を内蔵する電子機器において、外部から通電状態の確認を容易に行え、しかも蓋を開いて内部の点検や保守を行う場合に、その作業員に通電状態であることを確実に認識させられるように、発光体を、ケース本体内においてそれの開口部に露出する位置に設け、上記蓋に、閉蓋状態において上記発光体の表示状態を外部から確認するための透光部を設けたものが提案されている（例えば、特許文献１参照）。
【０００３】
この特許文献１に記載のものでは、蓋に透光部が形成されるものであるので、発光体のリード線に筒体を装着し、筒体によって電気回路基板から発光部までの距離を一定にすることで、蓋に対する発光体の位置を一定化させるようにしている。
【特許文献１】特開平０６−３１１１１７号公報（段落０００９，００１０及び図３）
【発明の開示】
【発明が解決しようとする課題】
【０００４】
特許文献１記載のものは、筒体を用いて蓋に対して一定の位置関係となるように発光体を設けるようにしているので、発光体の取付作業が面倒であるし、コストも高くなる。また、透光部を蓋に設けているので、発光体がかなり強い強度で発光しないと、周囲が明るい昼間などにおいては透光部を通じて発光体が発光しているか否かの目視が困難である。
【０００５】
この発明は、取付作業が簡単で、コストダウンが図れ、かつ周囲が明るい昼間などにおいても発光体の表示状態を明確に視認できる電子機器における防水カバー構造を提供することを目的とする。
【課題を解決するための手段】
【０００６】
請求項１の発明は、機器本体ケース内に、発光体が設けられた電気回路基板を備え、前記機器本体ケースが取付面に、前記電気回路基板が前記取付面と平行になるように取り付けられ、その取付状態で前記発光体の表示状態を確認するための窓部が前記機器本体ケースの下面部に位置する電子機器における防水カバー構造であって、前記窓部に、透光可能な材料で形成され前記窓部を閉塞する防水カバー部材が設けられ、前記防水カバー部材は、前記発光体からの光を反射屈折させて前記窓部を通じて外部に導くプリズム機能を発揮する部分を備えることを特徴とする。
【０００７】
このようにすれば、電気回路基板に取り付けられる発光体からの光は、防水カバー部材の、プリズム機能を発揮する部分を介して、機器本体ケースの下面部における窓部を通じて外部に導かれ、発光体の表示状態（点灯の有無や点滅）を目視できる。よって、プリズム機能を発揮する部分を備える防水カバー部材を、機器本体ケースの窓部に取り付けるだけでよいので、発光体や防水カバー部材の取付作業が簡単であり、コストダウンが図れ、また、一定の防水性能を確保して周囲が明るい昼間などにおいて発光体の表示状態を明確に視認できる。
【０００８】
請求項２に記載のように、前記防水カバー部材は、前記機器本体ケースに取り付けられ前記窓部を閉塞する取付板部と、この取付板部にそれと直交する方向に延びるように連接され前記発光体からの光を反射屈折させて外部に導くプリズム部とを備える構成とすることができる。ここで、プリズム部は、すべての発光体に共通の１個としてもよいし、各発光体それぞれに対応する複数個としてもよいのはいうまでもない。
【０００９】
このようにすれば、取付板部によって防水機能を、プリズム部によって発光体からの光を反射屈折させて前記窓部を通じて外部に導くプリズム機能をそれぞれ発揮させることができる。
【００１０】
請求項３に記載のように、前記防水カバー部材は、前記取付板部に直交する方向に延び一端部が前記取付板部に連接される中間板部と、この中間板部の他端部に連接され前記発光体からの光を受ける断面山形形状の先端板部とを備えることが望ましい。
【００１１】
このようにすれば、防水カバー部材のプリズム部が、中間板部及び先端板部を備えるので発光体からの光が先端板部に入射され、中間板部を経て、取付板部から外部に導かれ、発光体の表示状態が目視可能となる。
【００１２】
請求項４に記載のように、前記機器本体ケース内に機器ユニットが収納され、前記機器ユニットは、ユニットケース内の電気回路基板上に前記発光体が設けられ、前記ユニットケースに前記窓部に対応して開孔が形成されてなり、前記防水カバー部材の先端板部が、前記ユニットケースの開孔を通じて前記ユニットケース内に挿入され、前記発光体付近あるいはそれを超えるまで延びていることが望ましい。
【００１３】
このようにすれば、ユニットケース内の電気回路基板上に発光体が設けられ、その発光体付近まで防水カバー部材の先端板部が延びているので、発光体からの光が、前記先端板部に入射され、中間板部及び取付板部を経て、外部に導かれ、発光体の表示状態が目視可能となる。
【００１４】
請求項５に記載のように、前記先端板部は、前記発光体に対向する側に傾斜面部が形成され、前記傾斜面部の傾斜角度は、前記防水カバー部材が設けられている一端部側とは反対側の前記ユニットケースの他端部を、前記一端部を回転中心として持ち上げて、前記機器本体ケースからの、前記機器ユニットの取り外しを許容する角度である構成とすることができる。
【００１５】
このようにすれば、前記防水カバー部材が設けられている一端部側とは反対側の前記ユニットケースの他端部を、前記一端部を回転中心として持ち上げることで、前記機器本体ケースから、前記機器ユニットを取り外すことができる。よって、保守点検などのために機器ユニットを取り出す場合には、無理なく取り出すことができる。
【発明の効果】
【００１６】
本発明は、上記のように、プリズム機能を発揮する部分を備える防水カバー部材を、機器本体ケースの窓部に取り付けることで、発光体からの光を、防水カバー部材の、プリズム機能を発揮する部分を介して、機器本体ケースの下面部における窓部を通じて外部に導くようにしているので、発光体や、防水性能を確保するための防水カバー部材の取付けを簡単かつ安価に行うことができる。
【００１７】
また、機器本体ケースの下面部における窓部を通じて発光体からの光を外部に導くようにしているので、一定の防水性能を確保して周囲が明るい昼間などにおいて発光体の表示状態を明確に視認することができる。
【発明を実施するための最良の形態】
【００１８】
以下、本発明の実施の形態を図面に沿って説明する。
【００１９】
図１は本発明に係る電子機器の一例である光受信機を示し、図１（ａ）は正面図、図１（ｂ）は側面図、図１（ｃ）は底面図、図２は取付面への取付状態を示す斜視図である。
【００２０】
図１（ａ）〜（ｃ）及び図２に示すように、本発明に係る電子機器の一例である光受信機１１は、箱形状の機器本体ケース１２と、この機器本体ケース１２の上側左右側部に、上側左右側部の取付フランジ部１３ａが回転可能に支持される蓋体１３とを有する。なお、機器本体ケース１２の上側には１つの取付フランジ部１２ａが、下側には３つの取付フランジ部１２ｂがそれぞれ設けられている。
【００２１】
機器本体ケース１２の側面部１２Ａ（取付状態で下面となる側面部で、取付フランジ部１２ｂが設けられている部分）には、後述する電源ユニット２１からの電源コード２１ａが導き出される切り欠き部１２Ａａが形成されている。
【００２２】
また、側面部１２Ａには、切り欠き部１２Ａａと並んで、後述する発光ダイオード３３（ＬＥＤ）の表示状態を確認するために発光ダイオード３３に対応して窓部１２Ａｂ（図３参照）が設けられ、この窓部１２Ａｂには、防水カバー部材１５が２つの固定ねじ１６Ａ，１６Ｂにて固定されている。この防水カバー部材１５は、透光可能な材料（例えばアクリル樹脂）で形成され、発光ダイオード３３からの光を、反射屈折させて窓部１２Ａｂを通じて外部に導くプリズム機能を発揮する部分を有する。つまり、窓部１２Ａｂの防水カバー部材１５を通じて内部を見ることにより、発光ダイオード３３の表示状態が目視により分かる構成となっている。
【００２３】
また、窓部１２Ａｂを挟んで、切り欠き部１２Ａａと反対側に３つの開孔１２Ａｃが形成されている。３つの開孔１２Ａｃのうち窓部１２Ａｂとは、反対側の２つの開孔１２Ａｃを通じて、機器ユニット例えば光受信機本体ユニット２２に設けられた２つのＦ型接栓２４が突出し、図示しない同軸ケーブルのＦ型コネクタが接続される構成となっている。なお、切り欠き部１２Ａａ及び開孔１２Ａｃについても、具体的には図示していないが、防水カバー部材１５による防水性能と同程度の防水性能を確保できるようにシール手段が施されている。
【００２４】
さらに、図３〜図５に沿って構造について詳述する。
【００２５】
機器本体ケース１２内には、電源ユニット２１と、光受信機本体ユニット２２とが並んで収納され、それらの上側の開口部分が光ファイバトレイ２３によって閉塞される構成となっている。なお、光ファイバトレイ２３には、機器本体ケース１２の係止爪１２ｃにて係止される係止面部２３ａが形成されている。
【００２６】
電源ユニット２１の電源コード２１ａは切り欠き部１２Ａａを通じて外部に導出される。また、光受信機本体ユニット２２の側面部から突出するＦ型接栓２４は、開孔１２Ａｃを通じて、外部に突出するようになっている。
【００２７】
光受信機本体ユニット２２は、図４に示すように、シールドケース３１（ユニットケース）内に電子回路基板３２が収納され、その基板３２上であって側面部１２Ａ側の部位には、複数の発光ダイオード３３が設けられ、その発光ダイオード３３に対応して、シールドケース３１に開孔３１ａが形成されている。そして、その開孔３１ａは、また、機器本体ケース１２の窓部１２Ａｂに対応して形成されていることにもなる。発光ダイオード３３は、シールドケース３１の壁面部付近に配置され、その上端は、開孔３１ａの下縁３１ａａより若干低い位置に位置している（図５参照）。
【００２８】
光ファイバトレイ２３に、光ファイバ挿入口２３ｂから挿入された光ファイバ（図示せず）の余長部分が、トレイ２３上の複数のリブに対して巻き付けられ、それの端部の光コネクタ（図示せず）が中継器ホルダ３４を介してシールドケース３１上に取り付けられる中継器３５に接続される。
【００２９】
光受信機本体ユニット２２は、シールドケース３１内に電子回路基板３２が収納され、光受信本体ユニット２２が機器本体ケース１２内に収納された状態では、電子回路基板３２は、機器本体ケース１２の底板部や光ファイバトレイ２３と平行になっている。よって、光受信機１１が、図２に示すように壁面等の取付面（鉛直面）に取り付けられた状態では、電子回路基板３２が前記取付面と平行になるように取り付けられることになる。
【００３０】
防水カバー部材１５は、図５に示すように、機器本体ケース１２に固定ねじ１６Ａ，１６Ｂに（図３参照）よって取り付けられ窓部１２Ａｂを閉塞する取付板部１５Ａと、この取付板部１５Ａにそれと直交する方向に延びるように連接され発光ダイオード３３からの光を反射屈折させて外部に導く３つのプリズム部１５Ｂとを備える。プリズム部１５Ｂは、発光ダイオード３３の径よりも若干大きい板厚を有し、互いに平行で、取付板部１５Ａに対し一体に設けられている。なお、本例では図１（ａ）（ｃ）に示すように、発光ダイオード３３は３つ設けられているので、それに対応してプリズム部１５Ｂも３つ設けられている。
【００３１】
各プリズム部１５Ｂは、取付板部１５Ａに直交する方向に延び一端部が取付板部１５Ａに連接される矩形板形状の中間板部１５ＢＡと、この中間板部１５ＢＡの他端部に連接され発光ダイオード３３からの光を受ける断面山形形状の先端板部１５ＢＢとを備える。この先端板部１５ＢＢは、シールドケース３１の開孔３１ａを通じてシールドケース３１に挿入されて、発光ダイオード３３付近あるいはそれを超える位置まで延び、この先端板部１５ＢＢのうちシールドケース３１内に位置する部分には発光ダイオード３３に対向する側に第１の傾斜面部１５Ｂａが形成されている。これにより、発光ダイオード３３は、窓部１２Ａｂあるいは開孔３１ａに向けて発光していないが、防水カバー部材１５がプリズム部１５Ｂを有することで、窓部１２Ａｂ（防水カバー部材１５の取付板部１５Ａ）を通じて発光ダイオード３３の表示状態を、例えば図１（ｃ）に３３’で示すような状態で目視することができるのである。ここで、発光ダイオード３３としては、例えば、光受信機本体ユニット２２に電源から電力が供給されているか否かの確認用の単色ＬＥＤ（供給されている場合には赤色に点灯するが、供給されていない場合には点灯しない）、光ファイバを通じて入力される光の入力レベルが適正範囲であるか否かの確認用の二色ＬＥＤ（適正範囲にあれば緑色、なければ赤色に点灯）、視聴制御用のＬＥＤ（視聴可能であれば緑色、視聴付加であれば赤色に点灯）などに用いられる。
【００３２】
第１の傾斜面部１５Ｂａの傾斜角度θ１は、図６に示すように、防水カバー部材１５が設けられている一端部側とは反対側のシールドケース３１の他端部を、前記一端部を回転中心として持ち上げて、機器本体ケース１２からシールドケース３１の取り外しを許容する角度である。また、この傾斜角度θ１は、発光ダイオード３３からの十分な量の光の入射を損なわない角度であるのはもちろんである。つまり、機器本体ケース１２から光受信機本体ユニット２２を取り外すために、図６に示すように、光受信機本体ユニット２２（シールドケース３１）の他端部を持ち上げて傾斜させても、防水カバー部材１５のプリズム部１５Ｂとシールドケース３１の開孔３１ａの開孔周縁とが衝突することがないので、光受信機本体ユニット２２の取り外しがスムーズに行われる。なお、光受信機本体ユニット２２は、通常時は、ユニット受け座１２ｄ，１２ｅの上に載置されている（図４参照）。
【００３３】
また、先端板部の、第１の傾斜面部１５Ｂａとは反対側（図５において上側）には、シールドケース３１内からケース外まで延びる第２の傾斜面部１５Ｂｂが形成されている。この第２の傾斜面部１５Ｂｂの傾斜角度θ２は、第１の傾斜面部１５Ｂａから入射した光が全反射して窓部１２Ａｂを通じて外部に出る角度に設定されている。
【００３４】
上記のように構成すれば、プリズム機能を有する防水カバー部材１５にて窓部１２Ａｂを閉塞するようにしているので、発光ダイオード３３を窓部１２Ａｂあるいは開孔３１ａに向けて発光させることなく、発光ダイオード３３の表示状態の目視が可能になる。よって、防水カバー部材１５によって防水性能が高められるだけでなく、それのプリズム機能によって発光ダイオード３３を設ける場所についての制約が緩和される。
【００３５】
また、第１及び第２の傾斜面部１５Ｂａ，１５Ｂｂの傾斜角度を適宜選択することで、プリズム部１５Ｂでの反射屈折により発光ダイオード３３からの光を任意の方向に導くことができ、使用者が希望する方向から目視できるようにすることが可能となる。しかも、窓部１２Ａｂが、直射日光を受けない機器本体ケース１２の下面部に設けられているので、太陽光が届かないシールドケース３１内での発光ダイオード３３の点灯を、明るい日中に確認する場合でも、また、発光ダイオード３３の輝度が低い場合であっても、高い視認性を得ることができる。さらに、軒下、屋根裏の配電ボックスなどの暗い場所に設ける場合でも、目視することができる。
【００３６】
さらに、防水カバー部材１５のプリズム機能を利用しているため、電気回路基板３２上に設ける発光ダイオード３３からの光を所望の方向（例えば窓部１２Ａｂのある方向）に向けて発光させるように、スペーサを設けたり、発光ダイオードの足部を曲げ加工したりする必要がなくなり、発光ダイオード３３の取付作業が簡単で、設計の自由度が高まる。
【００３７】
このように、防水カバー部材１５に、防水機能と発光ダイオード３３の発光方向のコントロール機能とを併せ持たせることで、取り付け作業が簡単で、設計の自由度が高まるだけでなく、発光ダイオードのチップ部品化が可能となり、コストダウンが図る上で有利な構造となる。
【００３８】
さらに、蓋を開けなくても、窓部（防水カバー部材）を通じて発光ダイオード３３の表示状態がわかるので、保守・点検等の際の作業者の対応が容易である。
【００３９】
前記実施の形態では、取付板部１５Ａを機器本体ケース１２に直接に密着させて取り付け、水が侵入しにくく内部に侵入しても、内部に溜まることなくすぐに出る程度の防水性能を確保するようにしているが、パッキンなどのシール材を介して取り付けることで防水性能をより高めることも可能である。
【００４０】
前記実施の形態では、防水カバー部材１５は、固定ねじ１６Ａ，１６Ｂにて固定しているが、本発明はそれに限定されるものではなく、例えば、防水カバー部材１５側に嵌合凸部あるいは嵌合凹部を設ける一方、機器本体ケース１２側に前記嵌合凸部あるいは嵌合凹部に嵌脱可能に嵌合する嵌合凹部あるいは嵌合凸部を設けることにより、防水カバー部材を機器本体ケースにワンタッチで取り付けられるようにすることも可能である。
【図面の簡単な説明】
【００４１】
【図１】本発明に係る電子機器の一例である光受信機を示し、図１（ａ）は正面図、図１（ｂ）は側面図、図１（ｃ）は底面図である。
【図２】光受信機の取付面への取付状態を示す斜視図である。
【図３】前記光受信機の分解斜視図である。
【図４】図１（ｃ）のＡ−Ａ線における断面図である。
【図５】図４のＢ部の拡大図である。
【図６】光受信機本体ユニットの取り外しの説明図である。
【符号の説明】
【００４２】
１１    光受信機
１２    機器本体ケース
１２Ａ    側面部
１２Ａｂ    窓部
１５    防水カバー部材
１５Ａ    取付板部
１５Ｂ    プリズム部
１５ＢＡ    中間板部
１５ＢＢ    先端板部
１５Ｂａ    第１の傾斜面部
２２    光受信機本体ユニット
３１    シールドケース（ユニットケース）
３２    電子回路基板
３３    発光ダイオード
【図１】
0004707611.tif 000002
【図２】
0004707611.tif 000003
【図３】
0004707611.tif 000004
【図４】
0004707611.tif 000005
【図５】
0004707611.tif 000006
【図６】
0004707611.tif 000007